(57)【要約】【課題】本発明は、非シールドツイストペアケーブルの外皮（内部被覆）の外側に吸水性材料からなる防水層と外部被覆を設けて、防水性能の向上を図った防水形ケーブルに関する。【解決手段】かゝる本発明は、例えば４対の対よりされた絶縁導体１０，１０が集合されて、一括して内部被覆２０により被覆されてなるケーブルにおいて、内部被覆２０上に吸水性材料からなる防水層３０を介在させて外部被覆３０を設けたものであり、この構成から、内部被覆の厚さが薄いものであっても、先ず、十分な強度が得られる。仮に外部被覆の一部が損傷しても、防水層の働きによって、良好な防水効果が得られる。外部被覆の口出し時、防水層が座床として機能するため、内部被覆の損傷防止効果も得られる。【選択図】　図１
2004119090.tif 000002
【特許請求の範囲】
【請求項１】
内部被覆内に絶縁導体が内蔵されたケーブルであって、前記内部被覆上に吸水性材料からなる防水層を介在させて外部被覆を設けたことを特徴とする防水形ケーブル。
【請求項２】
前記絶縁導体が、非シールドツイストペアケーブル用の導体であることを特徴とする請求項１記載の防水形ケーブル。
【請求項３】
前記防水層が吸水性テープからなることを特徴とする請求項１又は２記載の防水形ケーブル。
【請求項４】
前記防水層及び外部被覆が共に非金属体からなることを特徴とする請求項１、２又は３記載の防水形ケーブル。
【発明の詳細な説明】
【０００１】
【発明の属する技術分野】
本発明は、吸水性材料からなる防水層により防水性能の向上を図った防水形ケーブルに関するものである。
【０００２】
【従来の技術】
従来から、屋内配線用のケーブルとして、非シールドツイストペアケーブルが使用されている。その構造の一例を示すと、図４の如くである（特開平０８−２４９９４４）。このケーブルＣ０　は、例えば４対の対よりされた絶縁導体１０，１０が集合されて、一括して外皮２０により被覆されている。そして、外皮２０内にあっては、各絶縁導体１０間、より正確にはその絶縁体１１間の空間部分に、必要により、種々の形の介在、例えば紐状や仕切り板形状などの介在を挿入させてある。
【０００３】
近年、無線ＬＡＮなどを利用した広帯域データ通信システムにおいては、屋外に設置したアンテナと屋内のルーターなどの通信機器を接続する場合、上記非シールドツイストペアケーブルを用いて、屋外のアンテナ側まで延長配線したという要求が高まっている。
【０００４】
【発明が解決しようとする課題】
ところが、非シールドツイストペアケーブルの場合、その使用にあたって、通常端末にモジュラープラグなどの器具を取り付けることが多いため、外径が小さめに構成されている。このため、外皮２０の被覆部分も薄く、屋外用として使用した場合、耐透湿性や耐外傷性に乏しく、吸湿や浸水による伝送特性の劣化が生じるという問題があった。
【０００５】
本発明は、このような問題に鑑みてなされたもので、基本的には、従来のケーブルの外皮（内部被覆）の外側に、さらに、吸水性材料からなる防水層と外部被覆を設けて、上記従来の問題を解消せんとするものである。
【０００６】
【課題を解決するための手段】
請求項１記載の本発明は、内部被覆内に絶縁導体が内蔵されたケーブルであって、前記内部被覆上に吸水性材料からなる防水層を介在させて外部被覆を設けたことを特徴とする防水形ケーブルにある。
【０００７】
請求項２記載の本発明は、前記絶縁導体が、非シールドツイストペアケーブル用の導体であることを特徴とする請求項１記載の防水形ケーブルにある。
【０００８】
請求項３記載の本発明は、前記防水層が吸水性テープからなることを特徴とする請求項１又は２記載の防水形ケーブルにある。
【０００９】
請求項４記載の本発明は、前記防水層及び外部被覆が共に非金属体からなることを特徴とする請求項１、２又は３記載の防水形ケーブルにある。
【００１０】
【発明の実施の形態】
図１は、本発明に係る防水形ケーブルの一例の形態を示したものである。このケーブルＣ１　において、１０は絶縁導体、１１はその絶縁体、２０は内部被覆、３０は内部被覆２０の外側に設けた吸水性材料からなる防水層、４０は防水層３０の外側に設けた外部被覆である。ここで、内部被覆２０内の構造は、特に限定されず、従来と同様の構造であってもよい。
【００１１】
上記防水層３０の吸水性材料としては、ポリアクリル酸塩系などの吸水性高分子からなるパウダが挙げられる。具体的には、このパウダを、例えばポリプロピレンなどのプラスチックテープに接着塗布した吸水性テープを製造し、これを、内部被覆２０の外側に巻回し、又は縦添えするなどして使用すればよい。また、外部被覆４０の被覆材料としては、耐候性や耐透湿性、耐外傷性に優れたポリエチレンなどが挙げられ、押出などにより被覆すればよい。さらに、必要により、図２に示すように、防水層３０上の例えば長手方向に、外部被覆４０を引き裂くための引裂紐５０を介装させておくとよい。
【００１２】
このケーブルＣ１　では、最外皮の外部被覆４０の材料特性により、十分な強度が得られる一方、仮に外部被覆４０の一部が損傷しても、防水層３０の働きによって、外部からの吸湿や浸水が効果的に抑制される。
【００１３】
つまり、外部から湿気が侵入した程度では、防水層３０部分の吸水性材料により十分吸収されてしまう。また、水の浸水があっても、その量によってはやはり吸水性材料により吸収されてしまう。その量が多くとも、水の吸収により通常吸水性材料が膨張するため、吸水性材料自体が内部被覆２０と外部被覆４０との間に硬く充填される結果となるため、効果的な水止め機能が得られる。言い換えれば、あたかも止水ダムが形成されるため、水の侵入が阻止される。
【００１４】
また、ケーブル使用時の端末加工時には、切り出し工具などによって、外部被覆４０を口出し除去する訳であるが、その際、防水層３０が座床として機能するため、内部被覆２０側が損傷するのを効果的に防止することができる。さらに、防水層３０及び外部被覆４０が共に非金属体からなるため、被覆の接地が不要となる。即ち、楽な施工が可能となる。また、接地の不具合によるノイズ発生などの性能劣化も根本的に解消される。勿論、引裂紐５０を介装させておけば、楽に外部被覆４０を口出し除去することができる。
【００１５】
因みに、以下の構成からなる本発明のケーブルを、サンプルとして製造し、防水試験を行ったところ、良好な結果が得られた。
【００１６】
上記図１と同構造のケーブルとして、４対の対よりされた絶縁導体１０の絶縁体１１はポリエチレン、内部被覆２０はＰＶＣ、防水層３０はポリプロピレンテープにポリアクリル酸塩系などの吸水性高分子を接着塗布させた吸水性テープ、外部被覆４０は黒色のポリエチレンとする一方、ケーブル全体の外径は７．５ｍｍにまとめた。
【００１７】
また、上記防水試験は、図３に示す方法（ＩＥＣ６０７９４−１−２）により行った。即ち、ケーブルの一部から、外部被覆４０及び防水層３０を除去して口出しし、この口出し部（幅２５ｍｍ）を水頭高さ１ｍの水中に２４時間浸漬させた。この浸漬中に一方の端面（図中右側の端面で口出し部の中心から３ｍの部分）から漏水がないことが確認できた。なお、伝送特性についても、従来の非シールドツイストペアケーブルと同等の性能が得られることが確認できた。
【００１８】
なお、上記実施の形態では、絶縁導体１０が非シールドツイストペアケーブル用のものであったが、本発明は、これに限定されるものではない。他の構造のケーブルであっても、その外皮（内部被覆）の外側に、本発明の吸水性材料からなる防水層と外部被覆を設ければ、ほぼ同様の作用、効果が得られる。
【００１９】
【発明の効果】
以上の説明から明らかなように、本発明の防水形ケーブルによると、次のような優れた効果が得られる。
【００２０】
（１）請求項１によると、内部被覆上に吸水性材料からなる防水層を介在させて外部被覆を設けてあるため、内部被覆の厚さが薄いものであっても、先ず、十分な強度が得られる。また、仮に外部被覆の一部が損傷しても、防水層の働きによって、良好な防水効果が得られる。また、外部被覆の口出し時、防水層が座床として機能するため、内部被覆の損傷防止効果も得られる。
【００２１】
（２）請求項２によると、絶縁導体が非シールドツイストペアケーブル用の導体である場合、屋内配線からそのまま延長して屋外配線として使用することができる。したがって、例えばこのケーブルを、無線ＬＡＮなどを利用した広帯域データ通信システムの屋内配線として使用する場合、別の屋外専用のケーブルと繋ぎ変えることなく、そのまま屋内のルーターなどの通信機器から屋外のアンテナなどの部分へ配線することができる。つまり、１本のケーブルで済み、大幅な使い勝手の向上が得られる。
【００２２】
（３）請求項３によると、防水層が吸水性テープの場合、口出し時の剥離がし易いという利便が得られる。つまり、外部被覆の除去後テープを捲るのみで剥離することができる。また、製造時においても単に巻回し、又は縦添えするのみでよい。
【００２３】
（４）請求項４によると、防水層及び外部被覆が共に非金属体からなる場合、被覆の接地が不要となり、楽な施工が可能となる。また、接地の不具合によるノイズ発生などの性能劣化も根本的に解消される利点もある。
【図面の簡単な説明】
【図１】本発明に係る防水形ケーブルの一例を示した断面図である。
【図２】本発明に係る防水形ケーブルの他の例を示した側面図である。
【図３】ケーブルの防水試験の方法を示した概略説明図である。
【図４】従来の非シールドツイストペアケーブルを示した断面図である。
【符号の説明】
１０　　　　　　　　　　絶縁導体
１１　　　　　　　　　　絶縁体
２０　　　　　　　　　　内部被覆
３０　　　　　　　　　　防水層
４０　　　　　　　　　　外部被覆
５０　　　　　　　　　　引裂紐
Ｃ１　　　　　　　　　　　防水形ケーブル
【図１】
2004119090.tif 000003
【図２】
2004119090.tif 000004
【図３】
2004119090.tif 000005
【図４】
2004119090.tif 000006